(57)【要約】【課題】  営業時間中であっても、レジまたは店舗の売上金を、容易に、途中入金できる入金システムにおいて使用される紙幣収納カセットの提供。【解決手段】  紙幣を集積状態で収納可能な収納空間６１が形成された略直方体形状の凹状枠体６２と、スライドすることにより、その凹状枠体６２の収納空間６１を開閉する蓋体６３と、凹状枠体６２の収納空間６１内部に、蓋体６３の引き出し側に揺動支持軸６５を有して、蓋体６３側に向けて揺動可能に支持された板部材６６とを有する。【選択図】        図４
2006171954.tif 000002
【特許請求の範囲】
【請求項１】
紙幣を集積状態で収納可能な収納空間が形成された略直方体形状の凹状枠体と、
スライドすることにより、その凹状枠体の収納空間を開閉する蓋体と、
前記凹状枠体の収納空間内部に、前記蓋体の引き出し側に揺動支持軸を有して、蓋体側に向けて揺動可能に支持された板部材とを有することを特徴とする紙幣収納カセット。
【請求項２】
前記蓋体の前記収納空間側の内面には、前記蓋体がスライドする方向と平行な凹凸面が形成され、前記凹状枠体の前記蓋体がスライドして収納空間を開放する側の側面には、前記蓋体の内面の凹凸面と互い違いとなる凹凸面が形成され、前記蓋体が下方となる姿勢にあるとき、前記蓋体を、前記収納空間を開放するようにスライドさせたときには、前記収納空間内に集積された紙幣が、ほぼ集積状態のまま一括して下方に落下しうることを特徴とする請求項１記載の紙幣収納カセット。
【請求項３】
前記凹状枠体の前記蓋体に隣り合う側面の内、前記蓋体がスライドする方向と平行する左右の側面には、前記蓋体のスライド方向に平行な、ほぼ直線状の二つの平行ガイド体が取り付けられていることを特徴とする請求項１または２記載の紙幣収納カセット。
【請求項４】
前記凹状枠体の二つの平行ガイド体の内、前記蓋体に近い平行ガイド体は、さらに、前記蓋体のガイド部材であることを特徴とする請求項３記載の紙幣収納カセット。
【請求項５】
前記蓋体には、前記蓋体に近い平行ガイド体によって案内される被ガイド部が形成され、さらに、該被ガイド部の外周形状は、前記平行ガイド体の外周形状と大きさの異なるほぼ直線状に形成されていることを特徴とする請求項４記載の紙幣収納カセット。
【請求項６】
前記凹状枠体の蓋体と対向する面の外面には、突起部材が設けられていることを特徴とする請求項１乃至５のいずれか一項記載の紙幣収納カセット。
【請求項７】
前記凹状枠体の、少なくとも、蓋体と対向する面、および、収納空間内部の揺動可能な前記板部材には、連通する覗き孔が形成されていることを特徴とする請求項１乃至６のいずれか一項記載の紙幣収納カセット。
【請求項８】
前記収納空間内部の前記板部材は、予め定められた重量を有することを特徴とする請求項１乃至７のいずれか一項記載の紙幣収納カセット。
【請求項９】
前記予め定められた重量とは、紙幣入金機などの紙幣取込部に設けられるビルプレスの重量に相当するものであることを特徴とする請求項８記載の紙幣収納カセット。
【発明の詳細な説明】
【技術分野】
【０００１】
本発明は、多数のレジまたは店舗の売上金を、複数の入金機を有する共用のエリアにおいて入金処理する百貨店等において、これらレジまたは店舗の売上金の一部を、当該レジ設置場所に移動した移動式入金機によって入金処理する際に使用される紙幣収納カセットに関する。
【背景技術】
【０００２】
多数のレジまたは店舗を有する百貨店等において、これらレジまたは店舗の売上金を複数の入金機を有する共用のエリアにおいて入金処理する入金システムに関する技術がある（例えば特許文献１参照）。この入金システムにおいては、レジまたはレジを有する店舗等の営業終了後に、レジまたは店舗毎に売上金をまとめ、共用のエリアにある入金機にて、入金を行っていた。さらには、レジまたは店舗によっては、一日の売上金額が高額になるなどの理由により、営業時間中に、一度以上の途中入金を行うことがあった。
【特許文献１】特開平９−１２０４８５号公報
【発明の開示】
【発明が解決しようとする課題】
【０００３】
ところで、レジまたは店舗の入金者は、共用の入金エリアに出向いて、複数ある入金機のいずれかで入金処理を行うことになる。
しかしながら、営業時間中の途中入金にあっては、少なくとも一人の店員がレジまたは店舗を空けることになり、しかも、管理者クラスの店員が入金処理を行う場合にあっては、レジまたは店舗に管理者クラスの店員が不在となってしまうこととなって、途中入金がなかなかできない状態となっている。
【０００４】
したがって、本発明は、営業時間中であっても、レジまたは店舗の売上金を、容易に、途中入金できる入金システムにおいて使用される紙幣収納カセットの提供を目的とする。
【課題を解決するための手段】
【０００５】
上記目的を達成するために、請求項１に係る発明は、紙幣を集積状態で収納可能な収納空間が形成された略直方体形状の凹状枠体と、スライドすることにより、その凹状枠体の収納空間を開閉する蓋体と、前記凹状枠体の収納空間内部に、前記蓋体の引き出し側に揺動支持軸を有して、蓋体側に向けて揺動可能に支持された板部材とを有することを特徴としている。
【０００６】
請求項２に係る発明は、請求項１に係る発明において、前記蓋体の前記収納空間側の内面には、前記蓋体がスライドする方向と平行な凹凸面が形成され、前記凹状枠体の前記蓋体がスライドして収納空間を開放する側の側面には、前記蓋体の内面の凹凸面と互い違いとなる凹凸面が形成され、前記蓋体が下方となる姿勢にあるとき、前記蓋体を、前記収納空間を開放するようにスライドさせたときには、前記収納空間内に集積された紙幣が、ほぼ集積状態のまま一括して下方に落下しうることを特徴としている。
【０００７】
請求項３に係る発明は、請求項１または２に係る発明において、前記凹状枠体の前記蓋体に隣り合う側面の内、前記蓋体がスライドする方向と平行する左右の側面には、前記蓋体のスライド方向に平行な、ほぼ直線状の二つの平行ガイド体が取り付けられていることを特徴としている。
【０００８】
請求項４に係る発明は、請求項３に係る発明において、前記凹状枠体の二つの平行ガイド体の内、前記蓋体に近い平行ガイド体は、さらに、前記蓋体のガイド部材であることを特徴としている。
【０００９】
請求項５に係る発明は、請求項４に係る発明において、前記蓋体には、前記蓋体に近い平行ガイド体によって案内される被ガイド部が形成され、さらに、該被ガイド部の外周形状は、前記平行ガイド体の外周形状と大きさの異なるほぼ直線状に形成されていることを特徴としている。
【００１０】
請求項６に係る発明は、請求項１乃至５のいずれか一項に係る発明において、前記凹状枠体の蓋体と対向する面の外面には、突起部材が設けられていることを特徴としている。
【００１１】
請求項７に係る発明は、請求項１乃至６のいずれか一項に係る発明において、前記凹状枠体の、少なくとも、蓋体と対向する面、および、収納空間内部の揺動可能な前記板部材には、連通する覗き孔が形成されていることを特徴としている。
【００１２】
請求項８に係る発明は、請求項１乃至７のいずれか一項に係る発明において、前記収納空間内部の前記板部材は、予め定められた重量を有することを特徴としている。
【００１３】
請求項９に係る発明は、請求項８に係る発明において、前記予め定められた重量とは、紙幣入金機などの紙幣取込部に設けられるビルプレスの重量に相当するものであることを特徴としている。
【発明の効果】
【００１４】
請求項１に係る発明によれば、紙幣収納カセットは、紙幣を集積状態で収納可能な収納空間が形成された略直方体形状の凹状枠体と、スライドすることにより、その凹状枠体の収納空間を開閉する蓋体と、凹状枠体の収納空間内部に、蓋体の引き出し側に揺動支持軸を有して、蓋体側に向けて揺動可能に支持された板部材とが設けられている。このため、レジまたは店舗の担当者は、紙幣収納カセットの収納空間に容易に売上金の一部の紙幣を収納させることができると共に、移動式入金機の紙幣取込部に紙幣収納カセットを装着した際には、紙幣収納カセットの収納空間内部の板部材が蓋体側に向けて揺動されるため、紙幣取込部のビルプレスの代わりとすることができる。
【００１５】
請求項２に係る発明によれば、蓋体が下方となる姿勢にあるとき、蓋体を、収納空間を開放するようにスライドさせたときには、収納空間内に集積された紙幣が、ほぼ集積状態のまま一括して下方に落下させることができる。このため、紙幣取込部に対し、改めて、セットすべき紙幣を整列させる必要が無い。
【００１６】
請求項３に係る発明によれば、凹状枠体の蓋体に隣り合う側面の内、蓋体がスライドする方向と平行する左右の側面には、蓋体のスライド方向に平行な、ほぼ直線状の二つの平行ガイド体が取り付けられている。このため、これらの平行ガイド体を用いて、移動式入金機の紙幣取込部に対して、位置決めした状態で装着することができる。
【００１７】
請求項４に係る発明によれば、凹状枠体の二つの平行ガイド体の内、蓋体に近い平行ガイド体は、さらに、蓋体のガイド部材である。このため、蓋体を、さらに異なるガイド機構によって支持する必要が無くなる。
【００１８】
請求項５に係る発明によれば、蓋体には、蓋体に近い平行ガイド体によって案内される被ガイド部が形成され、さらに、該被ガイド部の外周形状は、平行ガイド体の外周形状と大きさの異なるほぼ直線状に形成されている。このため、蓋体が閉じた状態の紙幣収納カセット全体としては、大きさの異なる二つの平行ガイド体が形成されるため、移動式入金機の紙幣取込部に装着する際には、大きさの異なるガイド溝に合わせるように装着することになるので、装着方向の誤りを防止することができる。
【００１９】
請求項６に係る発明によれば、凹状枠体の蓋体と対向する面の外面には、突起部材が設けられている。このため、移動式入金機の紙幣取込部に紙幣収納カセットを装着した際には、紙幣取込部のビルプレスに突起部材を係合させるだけで、紙幣収納カセットを紙幣取込部に装着状態で引き出し規制できる。
【００２０】
請求項７に係る発明によれば、凹状枠体の、少なくとも、蓋体と対向する面、および、収納空間内部の揺動可能な板部材には、連通する覗き窓と覗き孔が形成されている。このため、紙幣収納カセット単体においては、収納空間内部に紙幣があるか否かを容易に確認でき、また、移動式入金機の紙幣取込部に紙幣収納カセットを装着した際には、覗き窓と覗き孔を介して、紙幣取込部によって、収納紙幣が確実に繰出計数されたか否かを容易に確認できる。
【００２１】
請求項８または請求項９に係る発明によれば、収納空間内部の板部材は、予め定められた重量、すなわち、紙幣入金機などの紙幣取込部に設けられるビルプレスに相当する重量を有している。このため、移動式入金機の紙幣取込部に紙幣収納カセットを装着した際には、板部材が紙幣取込部にあるビルプレスの代わりを行うことができる。
【発明を実施するための最良の形態】
【００２２】
本発明の一実施形態の紙幣収納カセットを図面を参照して以下に説明する。
【００２３】
図１に示す本実施形態に関わる入金システム１０は、百貨店やショッピングセンター等の買い物客などの不特定多数の人々が存在する店舗エリア１１に配設された多数のＰＯＳレジ１２と、店舗などの店員やセンター等の管理者などの関係者のみが立ち入ることのできる管理エリア１３に配設された共用の入金室に設けられて、多数のＰＯＳレジ１２の売上金を入金処理する複数の入金機１４により構成されたシステムであり、さらには、複数の入金機１４に接続されて、入金室または入金室に隣接する入金管理室内に設置される、売上金等の管理を行う共用の管理機１５とを有している。そして、各ＰＯＳレジ１２はストアコントローラ１６に接続されることで一般的なＰＯＳシステムが構築されている。また、このストアコントローラ１６は、各ＰＯＳレジ１２の売上金の管理等を行うとともに管理機１５との間で情報を受け渡すことができる。
【００２４】
入金機１４は、入金が行われる際に入金者情報として店舗の識別情報または各ＰＯＳレジ１２の個別の識別情報が入力され、その後入金を受け入れることで入金者情報に関連付けて入金金額等の入金額情報を記憶することになる。なお、各入金機１４は、少なくとも硬貨および紙幣の入金が可能なものであれば良く、硬貨および紙幣の出金も可能な入出金機で構成したり、入金した硬貨および紙幣の出金も可能な環流式の入出金機で構成することも可能である。
【００２５】
管理機１５は、個々の入金機１４から送られてくる入金者情報および入金額情報を記憶することで、入金者毎、店舗毎、あるいはＰＯＳレジ１２毎に、個々の入金状況を管理するようになっている。つまり、各ＰＯＳレジ１２のそれぞれについて入金機１４に入金が行われたか否か、入金が行われた時刻、入金金額等を管理する。また、管理機１５は、専用回線または公衆回線などによって、管理する入金者情報および入金額情報を外部へ出力可能に構成されている。
【００２６】
加えて、本入金システム１０においては、さらに、移動式紙幣入金機２０が設けられている。移動式紙幣入金機２０は、後に詳述するように、紙幣のみの入金機であって、その筐体にはキャスターが取り付けられて、管理エリア１３のみならず、店舗エリア１１内をも移動可能に構成されている。そのため、移動式紙幣入金機２０は、通常、入金室または入金室に隣接する入金管理室内に設置されたときには、電源コードにより商用電源に接続されて電力が供給され、各入金機１４の紙幣機構部と同様に、紙幣の入金計数および収納処理が可能となっており、また、店舗エリア１１内を移動し、店舗またはＰＯＳレジ１２の近傍においては、その筐体内に設けられたバッテリーから電力が供給されることで、紙幣の入金計数および収納処理が可能となっている。そして、入金機１４と同様に、入金が行われる際に入金者情報として店舗の識別情報または各ＰＯＳレジ１２の個別の識別情報が入力され、その後入金を受け入れることで入金者情報に関連付けて入金金額等の入金額情報を記憶することになる。
【００２７】
さらには、移動式紙幣入金機２０は、入金室または入金室に隣接する入金管理室内に設置されたときには、有線または無線方式により管理機１５と接続されて、店舗エリア１１内にて入金処理した際の入金者情報および入金額情報を管理機１５に出力可能に構成されている。
【００２８】
図２は、移動式紙幣入金機２０の概略構成図である。移動式紙幣入金機２０の筐体２１の下部には、キャスター２２が取り付けられ、また、筐体２１の前後には、売上金回収担当者による移動操作を行いやすいように、取っ手２３が取り付けられている。筐体２１の前方上部（図示左上部）には、投入された紙幣を一枚ずつ分離して繰り出す取込部２４が設けられる。取込部２４により一枚ずつ繰り出された紙幣は搬送路２５により識別部２６に送られた後、真の紙幣であると識別された正券は、振分部２７にて下搬送部２８に振り分けられて一時貯留部２９に一時貯留され、真の紙幣であると識別されなかった偽券・搬送異常券などは、振分部２７にて筐体２１前方のリジェクト部３０に送り込まれる。一時貯留部２９に一時貯留された紙幣は、入金者の承認操作により、下方の紙幣金庫３１に収納処理され、入金者の取消操作により、一時貯留部２９が筐体２１の前方に引き出し可能となって、引き出された一時貯留部２９より一時貯留した紙幣を取り出し可能に構成されている。
【００２９】
図３は、移動式紙幣入金機２０のブロック図である。入金者情報を入力可能なカードリーダ、テンキーのほか、入金計数動作開始などを指示することが可能な操作部４１と、移動式紙幣入金機２０の動作状態、操作部４１によって入力した入金者情報や入金計数動作開始などの指示内容、入金計数動作によって一時貯留部２９に一時貯留された金額などを表示可能な表示部４２と、承認操作によって入金者情報と共に紙幣金庫３１に収納処理された入金額情報などを記憶する記憶部４３と、承認操作によって収納処理した際に、入金者に対して入金額などの入金取引情報を印字出力するプリンタ４４と、移動式紙幣入金機２０の機構部を駆動制御する機構制御部４５と、有線または無線方式により管理機１５と接続されて、入金処理した際の入金者情報および入金額情報を管理機１５に出力可能な入出力部４６と、これらを総合的に制御する制御部４７とが設けられている。
【００３０】
加えて、移動式紙幣入金機２０には、バッテリー４８と電源スイッチ４９が設けられ、電源コードにより商用電源に接続されたときには、電源スイッチ４９のオン操作により、移動式紙幣入金機２０全体の動作のための電力供給とバッテリー４８への充電のための電力供給がなされるように構成され、電源コードが外されているときには、電源スイッチ４９のオン操作により、移動式紙幣入金機２０全体の動作のための電力供給を、バッテリー４８が行うように構成されている。
【００３１】
ところで、移動式紙幣入金機２０にあっては、上記したように、店舗などの店員やセンター等の管理者などの関係者のみが立ち入ることのできる管理エリア１３において入金計数収納処理を行うことができるだけでなく、買い物客などの不特定多数の人々が存在する店舗エリア１１に移動した上で、レジまたは店舗の近傍で、売上金の一部の紙幣を入金可能に構成している。このため、店舗エリア１１に移動した上での入金計数収納処理にあっては、移動式紙幣入金機２０の取込部２４に、売上金の一部である紙幣をそのままセットして計数動作を開始させることは、剥き出し状態にセットされた多数の紙幣を、不特定多数の人々の目に触れ易くさせることになるため、防犯上、あまり好ましいとは言えない。
【００３２】
そこで、本入金システム１０においては、途中入金が発生しうる、少なくとも一部のレジまたは店舗のそれぞれに、売上金の一部を装填可能な同一形状の紙幣収納カセット６０を配付する一方、移動式紙幣入金機２０には、該紙幣収納カセット６０を装着可能に支持させることで、バッテリー４８の電力供給によって、装着された紙幣収納カセット６０内の売上金を受け取り、これを識別計数して入金収納可能とすることで、一見して、不特定多数の人々に、多数の紙幣の入金計数を行っていることを認識させ難くしている。
【００３３】
図４は、紙幣収納カセット６０の側面方向から見た中央断面図であり、図５は、正面方向から見た透視図であり、図６は、平面方向に見た透視図である。紙幣収納カセット６０は、紙幣を集積状態で収納可能な収納空間６１が形成された略直方体形状の凹状枠体６２と、スライドすることにより、その凹状枠体６２の収納空間６１を開閉する蓋体６３により箱体とされている。凹状枠体６２の内部には、収納空間６１の一側面を形成する内壁６４が設けられ、内壁６４の蓋体６３の引き出し側（図４左方側）には蓋体６３に平行な揺動支持軸６５を有して、蓋体６３側に向けてさらに揺動可能に支持された板部材６６を有している。板部材６６は、図４に示すように、蓋体６３が上方にある姿勢のとき、ほぼ水平状態となるように構成されている。板部材６６の揺動先端部は、図６に示すように、凸部６７と凹部６８が交互に形成され、板部材６６の凸部６７と凹部６８と互い違いとなるように、凹状枠体６２の収納空間６１内には、その先端部が凹部６９と凸部７０となる支持台７１が形成されている。支持台７１の高さ位置は、ほぼ水平状態にある板部材６６の高さ位置と、ほぼ同じ高さ位置に設定されている。なお、収納空間６１の平面広さは、紙幣の大きさよりも若干広い大きさに形成されている。
【００３４】
蓋体６３の収納空間６１側の内面には、蓋体６３がスライドする方向と平行な凹部７２と凸部７３が形成され、内壁６４の上端部と凹状枠体６２の蓋体６３がスライドする側の側面７４上端部には、蓋体６３の内面の凹部７２と凸部７３と互い違いとなる凸部７５と凹部７６が形成され、蓋体６３が下方となる姿勢にあるとき、蓋体６３を、収納空間６１を開放するようにスライドさせたときには、収納空間６１内に集積された紙幣が、内壁６４に規制されて、ほぼ集積状態のまま一括して下方に落下しうるように構成されている。
【００３５】
また、凹状枠体６２の蓋体６３に隣り合う側面の内、蓋体６３がスライドする方向と平行する左右の側面７７・７７には、それぞれ、蓋体６３のスライド方向に平行な、ほぼ直線状の二つの平行ガイド体７８・７９が取り付けられている。凹状枠体６２の二つの平行ガイド体７８・７９の内、蓋体６３に近い平行ガイド体７８・７８は、さらに、蓋体６３のガイド部材でもある。
【００３６】
蓋体６３には、蓋体６３に近い平行ガイド体７８・７８によって案内される被ガイド部８０・８０が形成され、さらに、該被ガイド部８０・８０の外周形状は、平行ガイド体７９・７９の外周形状と大きさの異なるほぼ直線状に形成されている。
【００３７】
凹状枠体６２の蓋体６３と対向する面の外面には、突起部材８１・８１が設けられている。凹状枠体６２の、少なくとも、蓋体と対向する面には覗き窓８２が形成され、収納空間６１内部の揺動可能な板部材６６には、覗き窓８２に連通する覗き孔８３が形成されていて、紙幣収納カセット６０の蓋体６３とは反対側から覗き窓８２および覗き孔８３を介して覗くことで、紙幣収納カセット６０内の収納空間６１内に紙幣が収納されているか否かを認識できるようになっている。
【００３８】
ところで、収納空間６１内部の板部材６６は、予め定められた重量を有するものであり、より具体的には、後述する移動式紙幣入金機２０の紙幣取込部２４に設けられるビルプレス９９の重量に相当するように形成されている。なお、図中、符号８４で示すものは、蓋体６３と一体の、スライド時に把持する取っ手部であり、符号８５で示すものは、蓋体６３をスライドさせ、収納空間６１を閉鎖したときに、蓋体６３のスライドを規制する、いわゆる、キャッチャー部材である。
【００３９】
図７は、移動式紙幣入金機２０の取込部２４の詳細説明図であり、図８は、取込部２４に紙幣収納カセット６０を装填した状態の部分正面図である。取込部２４の左右には側板９０・９０が設けられ、側板９０・９０間には、筐体２１後方（図７右方）下方に向けて傾斜される載置板９１が設けられ、該載置板９１の下端部近傍には、取込空間部９２を隔ててほぼ垂直方向に前板９３が設けられている。載置板９１の傾斜中央部には蹴り出しローラ９４が設けられて、載置板９１上にセットされた紙幣に接し、これを取込空間部９２に向けて送り出すと共に、載置板９１と前板９３の間の取込空間部９２近傍には繰出ローラ９５および分離ローラ９６が設けられて、蹴り出しローラ９４によって送り出された紙幣をさらに一枚ずつに分離しつつ搬送路２５下流に送り出す。前板９３後方（図７右方）には水平方向の支持軸９７により垂直方向に揺動自在に二つのアーム９８・９８（図７においては一つのみ示している）が支持され、アーム９８・９８の揺動先端には、その下面湾曲部により、載置板９１上に載置された紙幣を上方より蹴り出しローラ９４に向けて押圧するビルプレス９９が設けられている。
【００４０】
取込部２４の左右の側板９０・９０のそれぞれの対向面には、前板９３に向かってほぼ水平方向に延びる二つのガイド溝１００・１０１が形成されている。ガイド溝１００の溝の高さは、ガイド溝１０１の溝の高さよりも高く形成されている。また、二つのガイド溝１００・１０１のいずれの溝の入り口高さは、広く形成されている。溝高さの高いガイド溝１００には、紙幣収納カセット６０の蓋体６３に形成された被ガイド部８０・８０が挿入し得ることになり、溝高さの低いガイド溝１０１には、紙幣収納カセット６０の凹状枠体６２に形成された平行ガイド体７９・７９が挿入し得ることになって、図８に示すように、紙幣収納カセット６０は、蓋体６３が下方となるような姿勢で、取込部２４に装填される。
【００４１】
図９は、移動式紙幣入金機２０の取込部２４に紙幣収納カセット６０を装填した直後の状態の動作説明面図であり、図１０は、該状態から、紙幣収納カセット６０の蓋体６３をスライドさせた状態の動作説明図である。上記したように、ビルプレス９９は、支持軸９７を中心に、垂直方向に揺動自在に二つのアーム９８・９８に支持されているが、支持軸９７の高さ位置は、取込部２４に紙幣収納カセット６０を装填したときの凹状枠体６２の最上面の高さ位置よりも、わずかに低くなるように設定されている。このため、ビルプレス９９を持ち上げて、取込部２４に紙幣収納カセット６０を装填した後、ビルプレス９９から手を離すと、ビルプレス９９の下端部が、紙幣収納カセット６０の突起部材８１の、支持軸９７とは反対側の面と近接する位置に降下する位置関係にある。また、紙幣収納カセット６０の蓋体６３をスライドさせて収納空間６１を開放した際には、収納空間６１内の板部材６６の揺動先端部は、その自重により降下して、ビルプレス９９が載置板９１上に載置された紙幣を上方より蹴り出しローラ９４に向けて押圧するのと同様に、収納空間６１内に収納した紙幣を、載置板９１上に移しながら、さらに、上方より蹴り出しローラ９４に向けて押圧する。
【００４２】
以上に述べた本実施形態の入金システム１０において、店舗またはＰＯＳレジ１２の売上金は、閉店後の回収時にあっては、店舗またはＰＯＳレジ１２の入金者が管理エリア１３に設けられた共用の入金室などに出向き、該入金室に設けられた多数の入金機１４のいずれかによって、入金者情報を入力しつつ、紙幣および硬貨を投入することで、入金作業を行い、入金額情報と関連付けて、登録している。
【００４３】
一方、営業時間中の途中入金にあっては、一部の店舗またはＰＯＳレジ１２の売上金については、予め定められた時間に売上金回収担当者が移動式紙幣入金機２０を巡回移動させ、あるいは、必要に応じて、売上金回収担当者に依頼することで売上金回収担当者が移動式紙幣入金機２０を移動させるなどして、店舗またはＰＯＳレジ１２の近傍に移動されてきた移動式紙幣入金機２０によって、売上金の一部について入金作業を行うことができる。この場合、途中入金を行おうとする一部の店舗またはＰＯＳレジ１２においては、予め個別に配布されている紙幣収納カセット６０に途中入金しようとする売上金の一部である紙幣を収納させる。すなわち、紙幣収納カセット６０を、蓋体６３が上となるようにした姿勢において、取っ手部８４を持って凹状枠体６２に対してスライドさせ、収納空間６１を開放する。収納空間６１の板部材６６と支持台７１の両方に跨るように入金すべき紙幣を集積状態で装填し、蓋体６３を再度凹状枠体６２に対して逆方向にスライドさせて、収納空間６１を閉鎖し、キャッチャー部材８５によって閉鎖状態に維持させる。
【００４４】
また、移動式紙幣入金機２０は、売上金回収担当者によって途中入金を行おうとする店舗またはＰＯＳレジ１２の近傍に移動されてきた段階で、電源スイッチ４９がオン状態にセットされると、電源コードが商用電源に接続されないこのような場所であっても、バッテリー４８からの電力供給により立ち上がり、且つ、バッテリー４８の充電状態が十分であることを条件として、入金処理動作を開始可能に初期設定動作が行われる。
【００４５】
次に、図９に示すように、途中入金させようとする紙幣を収納した紙幣収納カセット６０を、蓋体６３が下となるように紙幣を収納したときとは逆さまの姿勢にして、移動式紙幣入金機２０の取込部２４にセットする。すなわち、ビルプレス９９を上方に退避させた状態に保持して、紙幣収納カセット６０の両サイドの下側となっている被ガイド部８０・８０の先端部を、取込部２４の二つの側板９０・９０のガイド溝１００・１００に入り込むようにセットし、続いて、紙幣収納カセット６０の両サイドの上側となっている平行ガイド体７９・７９の先端部を、取込部２４の二つの側板９０・９０のガイド溝１０１・１０１に入り込むようにセットし、さらに、紙幣収納カセット６０をほぼ水平状態にして、その先端部を前板９３に近接ないしは当接するところまで押し込む。
【００４６】
この状態で、ビルプレス９９から手を離して、上方への退避状態を解除すると、または、紙幣収納カセット６０をほぼ水平状態にして、その先端部を前板９３方向に押し込む途中で、ビルプレス９９から手を離して、上方への退避状態を解除すると、紙幣収納カセット６０の先端部が前板９３に近接ないしは当接するところまで押し込んだ状態に至っては、この状態の紙幣収納カセット６０の上面側に位置する突起部材８１・８１は、自重により紙幣収納カセット６０の上面側の凹状枠体６２に当接しているビルプレス９９の下端部の、わずかに前板９３側の位置に設定される。なお、この状態においては、紙幣収納カセット６０内の板部材６６は、その自重、および、その収納空間６１内に収納されている紙幣の集積量に合わせて、揺動支持軸６５を中心として、その先端部を蓋体６３側に適宜傾斜させて、収納されている紙幣を上方より押圧している。
【００４７】
次に、図１０に示すように、蓋体６３の取っ手部８４を持って、キャッチャー部材８５の保持力に抗して、蓋体６３を水平方向の後方（図示左方）に向けてスライドさせる。このとき、キャッチャー部材８５の保持力によって、蓋体６３のスライドとともに、凹状枠体６２も同一方向にスライドしようとする。しかしながら、この状態の凹状枠体６２の上面側に位置する突起部材８１・８１が、凹状枠体６２の上面に当接しているビルプレス９９の下端部と係合するため、さらには、この突起部材８１・８１とビルプレス９９の下端部との係合高さ位置が、ビルプレス９９を揺動可能に支持する支持軸９７の高さ位置よりもわずかに高い位置にあるため、突起部材８１・８１がビルプレス９９の下端部を押し上げてスライドしようとする力よりも、ビルプレス９９の下端部が突起部材８１・８１に係合しようとする力の方が勝ることになって、凹状枠体６２はこの位置に止まり、よって、蓋体６３のみが水平方向の後方に向けてスライドすることになる。
【００４８】
加えて、蓋体６３が水平方向の後方に向けてスライドするとき、蓋体６３の内面の凹凸部７２・７３上に集積され、上方からビルプレス９９の自重によって押圧されている紙幣は、内壁６４の端部の凹凸部７５・７６によって、蓋体６３のスライド方向に引きづられること無く、集積状態のまま、紙幣収納カセット６０の収納空間６１より、取込部２４の載置板９１上に移載される。
【００４９】
このような状態に至って、以後、移動式紙幣入金機２０の表示部４２の表示内容にしたがって、カードリーダあるいはテンキーなどの操作部４１を操作して、入金者情報を入力し、その上で、入金計数の開始指示を操作する。紙幣収納カセット６０の収納空間６１から取込部２４の載置板９１上に移載された紙幣は、取込部２４のビルプレス９９に代わって、紙幣収納カセット６０の板部材６６により蹴り出しローラ９４に向けて上方から押圧されているので、機構制御部４５の制御に基づく蹴り出しローラ９４、繰出ローラ９５および分離ローラ９６の作用によって、載置板９１上の紙幣が一枚ずつ取込部２４より搬送路２５上に繰り出される。以後、従来周知の紙幣入金機と同様に、搬送される紙幣は識別部２６によって識別され、真の紙幣であると識別された正券は、振分部２７にて下搬送部２８に振り分けられて一時貯留部２９に一時貯留され、真の紙幣であると識別されなかった偽券・搬送異常券などは、振分部２７にて筐体２１前方のリジェクト部３０に送り込まれる。
【００５０】
移動式紙幣入金機２０の制御部４７は、予め定められた所定時間、搬送される紙幣が検出されなかったことを識別部２６あるいは搬送路２５の各種センサによって検出することで、紙幣収納カセット６０の収納空間６１から取込部２４の載置板９１上に移載されたすべての紙幣が繰り出されたと判断し、機構制御部４５によって、蹴り出しローラ９４、繰出ローラ９５、分離ローラ９６および搬送路２５による繰出搬送処理を停止する。その後、表示部４２に、識別部２６によって識別された紙幣の合計入金額などが表示され、入金者は、その表示結果に基づき、操作部４１により、承認操作または取消操作を行う。一時貯留部２９に一時貯留された紙幣は、入金者の承認操作により、下方の紙幣金庫３１に収納処理され、入金者の取消操作により、一時貯留部２９が筐体２１の前方に引き出し可能となって、引き出された一時貯留部２９より取り出すことができる。なお、承認操作を行った際には、移動式紙幣入金機２０によって入金した証として、取引日付情報、入金者情報および入金額情報などをプリンタ４４より出力して、入金者に交付されるとともに、記憶部４３に記憶される。
【００５１】
また、移動式紙幣入金機２０の制御部４７が、載置板９１上に移載されたすべての紙幣が繰り出されたと判断して、機構制御部４５による繰出搬送処理を停止した際、入金者は、表示部４２に表示された紙幣の合計入金額などを確認することによって、紙幣収納カセット６０から載置板９１上に移載したすべての紙幣が繰り出されたと判断しても良く、あるいは、取込部２４に装着された状態の紙幣収納カセット６０の上面に当たる凹状枠体６２に形成された覗き窓８２から、さらに、その内部の収納空間６１で下方の載置板９１に向けて揺動した板部材６６に形成された覗き孔８３を経由して、載置板９１上に紙幣があるか否かを目視により直接確認しても良い。なお、紙幣収納カセット６０が単体の状態で、蓋体６３が収納空間６１を閉じた状態にあっても、この凹状枠体６２の覗き窓８２と、板部材６６の覗き孔８３を介して、その収納空間６１内に紙幣があるか否かを確認できるようになっている。
【００５２】
上記のようにして、途中入金動作が終了すると、入金者は、蓋体６３を凹状枠体６２の収納空間６１を閉じるように押し込み、キャッチャー部材８５によって蓋体６３が収納空間６１を閉鎖状態に保持されるようになると、ビルプレス９９を上方に持ち上げ、ビルプレス９９の下端部と凹状枠体６２の上面の突起部材８１・８１とが係合しないようにして、取っ手部８４または凹状枠体６２を持って、紙幣収納カセット６０を取込部２４から水平方向に引き出す。
【００５３】
引き続き、この近傍の店舗またはＰＯＳレジ１２からの途中入金を行う場合には、上記と同様の操作を繰り返し、他の場所の店舗またはＰＯＳレジ１２からの途中入金を行う場合には、移動式紙幣入金機２０の移動に際して、一旦、電源スイッチ４９をオフ状態に切り替える。
【００５４】
このようにして、途中入金を希望する一部の店舗またはＰＯＳレジ１２のために、移動式紙幣入金機２０を、店舗エリア１１内で移動させて入金動作させた後、管理エリア１３の入金室または入金室に隣接する入金管理室内に設置される、売上金等の管理を行う共用の管理機１５の近傍に、移動式紙幣入金機２０を移動させ巡回回収を終える。このときにあっては、移動式紙幣入金機２０は、直ちに次の場所に移動することはないため、電源コードを用いて商用電源に接続し、電源スイッチ４９をオン状態にセットすることで、商用電源の電力供給によって稼働可能な状態とするとともに、バッテリー４８に対する充電を行う。
【００５５】
また、管理機１５の近傍に移動してきたことで、有線または無線方式により管理機１５と移動式紙幣入金機２０を接続状態とし、移動式紙幣入金機２０によって入金処理した際の入金者情報および入金額情報を、入出力部４６を介して管理機１５に出力し、管理機１５は、多数の入金機１４から送られてくる入金者情報および入金額情報とともに合わせて記憶することで、入金者毎、店舗毎、あるいはＰＯＳレジ１２毎に、個々の入金状況を管理する。また、このようにして記憶された入金者情報および入金額情報は、所定の締め動作が行われた後、専用回線または公衆回線などによって、外部へ出力される。
【００５６】
なお、移動式紙幣入金機２０にあっては、上記したように、その取込部２４に紙幣収納カセット６０をセットして、紙幣を入金計数させることができるが、紙幣収納カセット６０を装填させることなく、左右の側板９０・９０と載置板９１と前板９３に囲まれた紙幣載置空間にバラ紙幣を装填することで、ビルプレス９９によってバラ紙幣を蹴り出しローラ９４に向けて押圧した上で、蹴り出しローラ９４と繰出ローラ９５と分離ローラ９６とによって、載置板９１上のバラ紙幣を一枚ずつに分離して搬送路２５下流に送り出すこともできる。
【００５７】
以上に述べた本実施形態に関わる本入金システムの紙幣収納カセットによれば、紙幣収納カセット６０は、紙幣を集積状態で収納可能な収納空間６１が形成された略直方体形状の凹状枠体６２と、スライドすることにより、その凹状枠体６２の収納空間６１を開閉する蓋体６３と、凹状枠体６２の収納空間６１内部に、蓋体６３の引き出し側に揺動支持軸６５を有して、蓋体６３側に向けて揺動可能に支持された板部材６６とが設けられている。このため、レジまたは店舗の担当者は、紙幣収納カセット６０の収納空間６１に容易に売上金の一部の紙幣を収納させることができると共に、移動式紙幣入金機２０の取込部９２に紙幣収納カセット６０を装着した際には、紙幣収納カセット６０の収納空間６１内部の板部材６６が蓋体６３側に向けて揺動されるため、取込部９２のビルプレス９９の代わりとすることができる。
【００５８】
また、蓋体６３が下方となる姿勢にあるとき、蓋体６３を、収納空間６１を開放するようにスライドさせたときには、収納空間６１内に集積された紙幣が、ほぼ集積状態のまま一括して下方に落下させることができる。このため、取込部９２に対し、改めて、セットすべき紙幣を整列させる必要が無い。
【００５９】
さらに、凹状枠体６２の蓋体６３に隣り合う側面の内、蓋体６３がスライドする方向と平行する左右の側面７７・７７には、蓋体６３のスライド方向に平行な、ほぼ直線状の二つの平行ガイド体７８・７９が取り付けられている。このため、これらの平行ガイド体７８・７９を用いて、移動式紙幣入金機２０の取込部９２に対して、位置決めした状態で装着することができる。
【００６０】
また、凹状枠体６２の二つの平行ガイド体７８・７９の内、蓋体６３に近い平行ガイド体７８・７８は、さらに、蓋体６３のガイド部材である。このため、蓋体６３を、さらに異なるガイド機構によって支持する必要が無い。
【００６１】
さらに、蓋体６３には、蓋体６３に近い平行ガイド体７８・７８によって案内される被ガイド部８０・８０が形成され、さらに、該被ガイド部８０・８０の外周形状は、平行ガイド体７８・７９の外周形状と大きさの異なるほぼ直線状に形成されている。このため、蓋体６３が閉じた状態の紙幣収納カセット６０全体としては、大きさの異なる二つの平行ガイド体が形成されるため、移動式紙幣入金機２０の取込部９２に装着する際には、大きさの異なるガイド溝に合わせるように装着することになるので、装着方向の誤りを防止することができる。
【００６２】
また、凹状枠体６２の蓋体６３と対向する面の外面には、突起部材８１・８１が設けられている。このため、移動式紙幣入金機２０の取込部９２に紙幣収納カセット６０を装着した際には、取込部９２のビルプレス９９に突起部材８１・８１を係合させるだけで、紙幣収納カセット６０を取込部９２に装着状態で引き出し規制できる。
【００６３】
さらに、凹状枠体６２の、少なくとも、蓋体６３と対向する面、および、収納空間６１内部の揺動可能な板部材６６には、連通する覗き窓８２と覗き孔８３が形成されている。このため、紙幣収納カセット６０単体においては、収納空間６１内部に紙幣があるか否かを容易に確認でき、また、移動式紙幣入金機２０の取込部９２に紙幣収納カセット６０を装着した際には、覗き窓８２と覗き孔８３を介して、取込部９２によって、収納紙幣が確実に繰出計数されたか否かを容易に確認できる。
【００６４】
また、収納空間６１内部の板部材６６は、予め定められた重量、すなわち、移動式紙幣入金機２０などの取込部９２に設けられるビルプレス９９に相当する重量を有している。このため、移動式紙幣入金機２０の取込部９２に紙幣収納カセット６０を装着した際には、板部材６６が取込部９２にあるビルプレス９９の代わりを行うことができる。
【図面の簡単な説明】
【００６５】
【図１】本発明の一実施形態の入金システムを示すブロック図である。
【図２】本発明の一実施形態の入金システムに用いられる移動式紙幣入金機の概略構成図である。
【図３】本発明の一実施形態の入金システムに用いられる移動式紙幣入金機のブロック図である。
【図４】本発明の一実施形態の入金システムに用いられる紙幣収納カセットの側面方向から見た中央断面図である。
【図５】本発明の一実施形態の入金システムに用いられる紙幣収納カセットの正面方向から見た透視図である。
【図６】本発明の一実施形態の入金システムに用いられる紙幣収納カセットの平面方向に見た透視図である。
【図７】本発明の一実施形態の入金システムに用いられる移動式紙幣入金機の取込部の詳細説明図である。
【図８】本発明の一実施形態の入金システムに用いられる移動式紙幣入金機の取込部に紙幣収納カセットを装填した状態の部分正面図である。
【図９】本発明の一実施形態の入金システムに用いられる移動式紙幣入金機の取込部に紙幣収納カセットを装填した直後の状態の動作説明面図である。
【図１０】本発明の一実施形態の入金システムに用いられる移動式紙幣入金機の取込部に紙幣収納カセットを装填した状態から、紙幣収納カセットの蓋体をスライドさせた状態の動作説明図である。
【符号の説明】
【００６６】
１０  入金システム
１１  店舗エリア
１２  ＰＯＳレジ
１３  管理エリア
１４  入金機
１５  管理機
１６  ストアコントローラ
２０  移動式紙幣入金機
２１  筐体
２２  キャスター
２３  取っ手
２４  取込部
２５  搬送路
２６  識別部
２７  振分部
２８  下搬送路
２９  一時貯留部
３０  リジェクト部
３１  紙幣金庫
４１  操作部
４２  表示部
４３  記憶部
４４  プリンタ
４５  機構制御部
４６  入出力部
４７  制御部
４８  バッテリー
４９  電源スイッチ
６０  紙幣収納カセット
６１  収納空間
６２  凹状枠体
６３  蓋体
６４  内壁
６５  揺動支持軸
６６  板部材
７１  支持台
７８・７９  平行ガイド体
８０  被ガイド部
８１  突起部材
８２  覗き窓
８３  覗き孔
９０  側板
９１  載置板
９２  取込空間部
９３  前板
９４  蹴り出しローラ
９５  繰出ローラ
９６  分離ローラ
９７  支持軸
９８  アーム
９９  ビルプレス
１００・１０１  ガイド溝
【図１】
2006171954.tif 000003
【図２】
2006171954.tif 000004
【図３】
2006171954.tif 000005
【図４】
2006171954.tif 000006
【図５】
2006171954.tif 000007
【図６】
2006171954.tif 000008
【図７】
2006171954.tif 000009
【図８】
2006171954.tif 000010
【図９】
2006171954.tif 000011
【図１０】
2006171954.tif 000012